(57)【特許請求の範囲】
【請求項１】
少なくとも片面側に剥離可能なシール部分を再接着可能に設けたブックカバーであって、
前記ブックカバーは、前記ブックカバーの裏面側に配置される基材と、前記ブックカバーの表面側に配置される透明フィルムと、両者の間に介在して両者を貼り合わせる粘着剤層とを少なくとも有し、前記透明フィルムと粘着剤層との間に剥離層を有し、前記基材には切り込みにより前記ブックカバーの裏面側から剥離可能とされる前記シール部分が形成されていることを特徴とするブックカバー。
【請求項２】
前記シール部分には、ブックカバーが装丁される本の情報が表示されていることを特徴とする請求項１に記載のブックカバー。
【発明の詳細な説明】
【０００１】
【発明の属する技術分野】
本発明は、本の表紙に装丁されるブックカバーに関する。
【０００２】
【従来の技術】
従来から書籍の表紙にはブックカバーが設けられている。このブックカバーは紙からなる基材の上に印刷を行い、その印刷の上に透明フィルムをラミネートしたり、或いはニスなどが塗工され、ブックカバーの裏側は基材の紙の白地とされている。
【０００３】
【発明が解決しようとする課題】
しかしながら、このようなブックカバーの裏側は白地のままであるので、今ひとつ面白味に欠けている。
【０００４】
【課題を解決するための手段】
上記課題を解決するために、請求項１の発明は、少なくとも片面側に剥離可能なシール部分を再接着可能に設けたブックカバーであって、
前記ブックカバーは、前記ブックカバーの裏面側に配置される基材と、前記ブックカバーの表面側に配置される透明フィルムと、両者の間に介在して両者を貼り合わせる粘着剤層とを少なくとも有し、前記透明フィルムと粘着剤層との間に剥離層を有し、前記基材には切り込みにより前記ブックカバーの裏面側から剥離可能とされる前記シール部分が形成されていることを特徴とする。
【０００６】
請求項２の発明は、前記シール部分には、ブックカバーが装丁される本の情報が表示されていることを特徴とする。
【００１０】
本の情報は、バーコード・ホログラム・文字・絵柄・キャラクターを含む。
【００１１】
【発明の実施の形態】
図１はこの発明の実施の形態にかかるブックカバーの層の断面構成を模式的に示したものである。また、図２はこのブックカバー１の表面形状を示している。ブックカバー１は、図１に示すように、基材２とブックカバー裏面側のインク層３、ブックカバー表面側のインク層４、粘着剤層５、透明フィルム層６、シリコン層７、シール部分８を有する。
【００１２】
基材２は、この実施の形態では不透明な紙からなるものであり、装丁時に本の表紙に接触する面が裏面Ａとされ、外部に露出する面が表面Ｂとされる。
【００１３】
インク層３は、シール部分８の絵柄となるものであり、例えば人気アニメーションのキャラクター等の印刷である。インク層４はブックカバー１の表面Ｂから透明フィルム層６を通してみる印刷である。
【００１４】
粘着剤層５は、シール部分８を剥離させるためのものであり、透明なＵＶ粘着剤で形成される。
【００１５】
透明フィルム層６は、ポリエチレンテレフタレート（ＰＥＴ）或いはポリエチレン（ＰＥ）等の透明樹脂により形成され、透明フィルム層６及び粘着剤層５を通してインク層４の印刷が見えるようになっている。また、透明フィルム層６は粘着剤層５から容易には剥離しない。
【００１６】
透明フィルム層６と粘着剤層５との間の一部分には、透明なシリコン層７が形成されている。シリコン層７の輪郭形状はシール部分４の輪郭形状にほぼ同形同大乃至は若干大きめの相似形状とされ、透明フィルム層６に塗工されている。なお、このシリコン層７は粘着剤層５の全面に塗工しても良い。
【００１７】
基材２のシリコン層７に対応する部分は、シール部分８とされ、シール部分８の輪郭部分には切り込み９が形成されている。切り込み９は基材２から粘着剤層５まで形成されている。シール部分８の輪郭形状部分は、半打ちプレス加工により形成される。
【００１８】
シール部分８は、基材２とインク層３とインク層４と粘着剤層５とからなる層構成とされている。粘着剤層５は、図３に示すように、シリコン層７から剥離可能とされ、剥離したシール部分８は粘着剤層５によって他の物体（例えば、紙、プラスチックス、金属、木等）に貼り付けることができる。
【００１９】
シール部分８の粘着剤層５は、基材２が不透明な紙であるために、インク層４は裏面Ａ側からは見えないようになっているが、基材２を透明フィルムで構成してインク層４を裏面側から見えるようにしても良い。裏面Ａ側からインク層４を見る場合、インク層４は逆刷り印刷としても良く、インク層３はインク層４の見え方により、有無が決められる。
【００２０】
シール部分８のインク層３は、この実施の形態では、アニメーションキャラクターの絵柄であるが、ホログラム画像のように装飾性を向上させたり、或いは、バーコードなどのように、製品番号等を特定するコード或いは記号が形成されていても良い。
【００２１】
図１のブックカバー１によれば、ブックカバー１の裏面Ａにシール部分８が剥離可能に形成されているので、新本を購入した後に、そのシール部分８を剥離して、好みのものに貼り付けることができる。
【００２２】
シール部分８のインク層３が、ホログラム画像や物品を特定するバーコードである場合には、このホログラム画像やバーコードによって、出版社・本のタイトル・発行日等のデータを表すことも可能であり、新本の表紙或いは背表紙、或いは、図書目録・資料目録・台帳などに貼り付けて、図書館などの貸し出しに利用することも可能である。
【００２３】
なお、ブックカバー１に、図３のように、シール部分８を格納する凹部８Ａを形成し、この凹部８Ａ内にシール部分８を貼り付けても良い。このシール部分８の基材２を透明フィルムとし、基材２にインク層４を設けて基材２を通してインク層４が見えるようにすれば、インク層４の擦過性が向上する。したがって、インク層４を装丁対象となる本のバーコードとすると、図書館や資料館などの本の管理などに有効である。
【００２４】
図４は、第２の実施の形態にかかるブックカバー１０の層構成を模式的に示す図である。このブックカバー１０は表面Ｂ側にシール部分１１が配置される。ブックカバー１０は、裏面保護層を構成する紙１２（透明フィルムでも良い）と、粘着剤層１３と、紙からなる基材１４と、インク層１５と、接着剤層１６（粘着剤層でも良い）と、透明フィルム層１７と、シリコン層１８とを有する。
【００２５】
シリコン層１８は紙１２上にシール部分１１の形状に合わせて形成されるが、接着剤層１３の全面に塗工されていても良い。シリコン層１８の下に絵柄等が印刷されていると、シール部分１１を剥がした後に、更に新しい絵柄が見えるので、面白みが増える。この絵柄はクイズやくじなどでも良い。
【００２６】
透明フィルム層１７は、ポリエチレンテレフタレート（ＰＥＴ）やポリエチレン（ＰＥ）等が用いられ、ドライラミネート或いは粘着ラミネートにより貼り合わせられている。この透明フィルム層１７及び接着剤層１３はなくても良く、透明フィルム層１７及び接着剤層１３がない場合には、ニスをコートしても良い。ニスをコートしない場合もある。
【００２７】
シール部分１１は、半打ちプレス加工により、切り込み１９が形成されており、シール部分１１をシリコン層１８から剥がすことが出来る。
【００２８】
図５は、シール部分１１をブックカバー１０から剥がした場合の状態を示しており、シール部分１１を剥がした後の部分に凹部２０が形成される。なお、前述のように、ブックカバー１０に予め凹部２０を形成し、後から、シール部分１１を凹部２０に貼り合わせても良く、この場合にはシール部分１１の基材１４を透明フィルムとし、基材１４と粘着剤１３の間に印刷を行っても良い。
【００２９】
図６は、第１の実施の形態にかかるブックカバー１の製造工程を示す。この製造工程において、ロール２１はブックカバー１の裏側を形成する紙からなる基材２であり、この基材２は、表裏印刷ユニット２３において表裏面に印刷が行われる。ロール２２はＰＥＴからなる透明フィルム６であり、ＵＶシリコン塗工部２４においてシール部分８となる部位にＵＶシリコンを塗工する。透明フィルム６はＵＶシリコン塗工後にＵＶ粘着剤塗工部２５にすすみ、貼り合わせ部２６において基材２と貼り合わせられる。貼り合わせられた基材２と透明フィルム６は抜き加工部２７において、シール部分８の切り込みを入れる。抜き加工部２７においてシール部分８の切り込みが行われたブックカバーシート２８は、断裁部２９において所定長に断裁され、ブックカバー１となる。なお、ＵＶシリコン塗工部２４の後工程及びＵＶ粘着剤塗工部２５の後工程にはＵＶランプ２４Ａ、２５Ａが設けられ、紫外線を照射してシリコン層７及び粘着剤層５を定着させる。なお、図６中符号ｒはガイドロールである。
【００３０】
ブックカバー１、１０において、シリコン層７を全面に塗工する場合には、基材２にセパレータ紙を用いればよいので、ＵＶシリコン塗工部２４は不要となり、シール部分８の位置合わせが不要であるので、製造が容易である。
【００３１】
【発明の効果】
請求項１の発明によれば、シール部分を剥がして所望のものに貼り付けて楽しむことが出来る。また、ブックカバーの裏面側からシール部分を剥がしても、透明フィルムやシール部分の基材が破れたりすることがなく、ブックカバー及びシール部分の両方をきれいに保つことが出来る。
【００３４】
請求項２の発明によれば、シール部分に本の情報が表示されているので、シール部分を剥がして台帳や本の表紙・背表紙などに貼ることにより、本の管理を行う場合に、ラベルを作成して貼るような手間がかからない。
【図面の簡単な説明】
【図１】本発明の第１の実施の形態にかかるブックカバーであり、裏面側にシール部分を設けたブックカバーの模式的断面図
【図２】図１のブックカバーの展開図
【図３】図１のブックカバーからシール部分を剥がした状態の模式的断面図
【図４】第２の実施の形態にかかるブックカバーであり、表面側にシール部分を設けたブックカバーの模式的断面図
【図５】図３のブックカバーからシール部分を剥がした状態の模式的断面図
【図６】第１の実施の形態にかかるブックカバーの製造工程図
【符号の説明】
１  ブックカバー
２  基材
３  シール側のインク層
４  基材側のインク層
５  粘着剤層
６  透明フィルム
７  シリコン層（剥離層）
８  シール部分
１０  ブックカバー
１１  シール部分
１２  透明フィルム（裏面側保護層）
１３  粘着剤
１４  基材
１５  インク層
１６  接着剤層（粘着剤層でも良い）
１７  透明フィルム層
１８  シリコン層（剥離層）
【図１】
0004271773.tif 000002
【図２】
0004271773.tif 000003
【図３】
0004271773.tif 000004
【図４】
0004271773.tif 000005
【図５】
0004271773.tif 000006
【図６】
0004271773.tif 000007